(57)【要約】【課題】  筆者は、魚料理が好きで、之を自分で焼いて喰っている時には、あらゆる調理器具、コンロ、オー2009268880.tif 000003大変になる事よりも、その滲み出た油が料理する魚（肉）に又、附着し、ベトベトになって、フライパンで、之等を焼く際に、カラリと焼く事が出来ないものか？と考えた。課題が生じた。【解決手段】  フライパンの内側面にピッタリと合わせたネットを金網で作り、魚、肉料理から出る余分な油を簡2009268880.tif 000004を創作した際には、意のままに好きな調理をする事が出来る様になり、――之等を別用途に使用した際には、焼き物の他、蒸し料理、天プラ料理の油切り、野菜の水切り他、数え切れない料理を造る際に便利な万能器となった。【選択図】図１
2009268880.tif 000002
【特許請求の範囲】
【請求項１】
現在市場にあって、既製品となっているフライパン、鉄器、鉄鍋等の大きさに（ピッタリ）合わせ、底部から、３〜５ｍｍ程浮かせて作るフライパンネット（Ｔ．６９０）が発明され、之を万能器にするべく、フライパンの様な大口鉄器に被せられるフライパンリド（Ｔ．６９１）が発明され、穴開け中敷（Ｔ．６９２）及び、 半穴開け中敷（Ｔ．６９３）が発明される請求。
【請求項２】
現在市場にあって、キャンプ場等で、焼肉、焼ソバ等の料理を作るのに広く使用されている重量物となる事の多い四角形の鉄板プレートの肉厚を１．５ｍｍ〜３ｍｍ程までに薄くし、この底部の一部をコーヒポットを乗せられる高さを加えた物にして作る、マコプレート（Ｔ．６９４）が発明され、主に卓上調理器具に供せられる発明となし、之容器の内側の大きさに（ぴったり）合わせ（コーヒポットの抜ける部分を削除した）マコネット（Ｔ．６９５）が発明され、又、之発明品を万能器にする為、四角い蓋の形状をしたマコリッド（Ｔ．６９６）及び、蒸し物用に用いると便利な、四角形型をした、マコ中敷（Ｔ．６９７）、マコ半割中敷（Ｔ．６９８）が発明される請求。
【発明の詳細な説明】
【技術分野】
【０００１】  筆者はコドモの頃から魚料理が好きで、近くに信濃川（新潟）、○○○川（外国）等他があり、魚を釣って来ては、自分で料理していた。―そして、特に活きのいいメザシ、サンマ、鮮等が好きで、お茶付けにして食べる時には最初七輪と炭で焼いていたものの、七回以上程も使用すると、魚の染み出る油が之をすぐに汚し、市販されている魚焼き金網から、コンロ、オーブン、電子レンヂに至るまで、魚料理が出す油と油煙りとが原因して、見苦しくなる程に迄、之等の調理器具をすぐに汚してしまい清掃が大変な物になり。【０００２】  何とか調理器具を汚さずに魚をおいしく焼く方法は無いものか！と考え抜いたあげく、フライパンの内側に丁度良い金網をこの型に合わせて作り、この上で魚を焼き、ベニア板で作った蓋を被せてみた所、完璧な状態で料理を作る事が出来、魚から出る余分な油は、金網と共に調理後に容易に洗い流せ、油煙りさへ、殆ど出ない技術力が生じた際、之発明品は、それだけでは終わらずに、之で、蒸し物料理器に早変りする他、パンが焼け、コーヒーが沸せる他、野菜の水切り、天プラの油切りから多様に働く万能器となっていった。
【発明の開示】
【発明が解決しょうとする課題】
【０００３】  コドモの頃、赤ちょうちんを下げ、アメリカにリアカーを持ち込んで屋台（料理人）をやってみたく憧れがあった。リアカーには、焼酎、すし、焼き魚、ラーメン、コーヒー、お茶………等々を乗せる事を考え、色々と空想していた。「――止めなさいよ！」父親が言って終わりになった。（Ｔ．３７０）
【０００４】  筆者は、ゴハン、納豆、ノリ、焼き魚、タクアン、ミソ汁等々の日本食が好きだったが欧米食では、肉、パン、ジャガ芋、卵………等が主体であり、食文化が合わないものであったからであった。――筆者の猫でさへ、肉よりも魚を好んで食べていた。
【０００５】  しかし併、筆者の料理への強い関心は、遂に終わりを見ず、調理師の免許を取ろうと思い料理の世界に首を突っ込み、遂に之を取り、料理を作って客に之を提供していた際中、マスターは執拗な迄にも、自分が出す味に拘っていた。――丁度、その時、客から質問を受けた。
【０００６】  「フライパンに料理がすぐに焦びり付いて困る。焦びりつかない方法は無いか！」であった。「――フライパンの焦げ付きを無くすには、予め、フライパンを熱く焼いて置くと、料理が焦げ付かなくなりますよ！」と答えていた。―この時、料理の理不尽を覚えていた。
【０００７】  筆者は、魚料理が好きで、サンマ、メザシをお茶付けで食べる時には、後に、フライパンで之を焼いていたが、活きが良く、フライパンの底には、之を焼く時、ポタポタと油が滴り落ち、せっかく焼いた魚がフライパンの底に貯まってしまい、油を掃く事なく、再び、その油を焼いた魚が吸い込む際には、料理がグチャグチャになってしまっていた。何とかならないものか？と、考えていた矢先の事であった。課題が生じた。
【課題を解決する為の手段】
【０００８】  料理をおいしく作って食べるには、調理中では、余分に出る油を除去した方が、おいしくなる場合もあり、肉類や焼き鳥等も同じであったが、全っく料理粗材の持つ油分が抜け切っても良くなかった。――この時、フライパンの底にモチを焼く際に使う金網を買って来て金切りバサミで丁度良い大きさに切り、本図に見られる様な色々な大きさ型に切って裁断し、スポイト溶接で溶接し、使ってみると大変具合が良く、別用途にも幅広く使える物になった。
【発明の効果】
【０００９】  本発明品をテーブルの上に一つ設置しただけで、電子レンヂ、電熱プレート、オーブン等の電化家電品はいらなくなる程の効果があり、家族団欒で調理した物を、熱々のうちにすぐに楽しく食べる事が出来、冷凍食品、レトルト食品、餃子等の食卓処理がすぐに出来餅焼、焼きソバ、モンジャ焼き、ピザ、焼き魚、焼き肉に至って、他、食パンが焼け、コーヒーが沸かせ、冷や飯を蒸し、芋が焼け、天プラの油切り、野菜の水切りさへ、利用できる万能器となった。
【発明を実施する最良の形能】
【００１０】  本文に発明される形態物の全ては、既存する市場に全てあるばかりの物であったが、しかし併、之等製品の種類は数多く有り、マチマチの物ばかりであり、野菜の水切り器をフライパンに持って来ても役にたたない様に、既製品のフライパン、鉄鍋、若しくは、本発明、肉厚を薄くし、四角形で大き目にして作るマコプレート（６９５）等の内側キッカリの大きさに合わせ、それらの内側底面から１．５ｍｍ〜３．５ｍｍ程宙に浮かせて作られる金網が発明され、その高低差をマコ環（６９８）で調整できる物にした時には、焼き物、蒸し物料理他、多種多様の調理に応用できる、コーヒーを沸し、食パンさへ焼ける卓上調理器具になった
【産業上利用の可能性】
【００１１】  実際にプロの料理現場で修行した方々には、筆者の本発明（文）の内容は、理解され易く、御共鳴いただけると思われる際、産業上利用の可能性にも大きく貢献できる。と思われた。
【符号の説明】
【００１２】１．筆者の好きな焼きな焼き魚、メザシ、サンマ、２．鯖、鮭の切りの順を示す図であったが、３．頭は猫にやり、４．骨ごと、丸かじりに之を食べてしまわなければ気が済まず、火を良く通すには、５．一万回以上、火災実験をして、火災を起こす心配の無かった時、ベニア板を丸く切ってフライパン用、若しくは、金属製大口鍋類を蓋する事の出来る蓋を作って、之に被せた際には、魚の骨まで柔くし、火通しを良くする事が出来、これは、料理、調理後、大鍋等をテーブルに出す時には、下敷にさへ出来る物となった。６．それ故、この様にして料理を作ると、魚の油がフライパンの底に相当量、貯まる物となったが、７．本発明するフライパンネット（Ｔ６９０）」を、フライパンの中に敷くと、筆者の好きだった焼き魚が、滴り落ちる魚等の油に塗れる事なく、フックラ、焦んがり、カラッとする好きな焼き方が出来る様になり、８．フライパンネット（Ｔ６９０）」を取り除くと、そこには、活魚から染み出した魚の油のみ残っており、焦げ、焦びり付きも一切無く、調理後のフライパンの洗浄も楽になり、フライパンに傷を付けづらくなり、テフロン加工のフライパン等も、長持ちする様になった。９．又、フライパンの底に少量の水を入れ、本発明フライパンネットに、蒸し物料理にしたいと思われる、１０．餃子、焼売、１１．焼芋、１２．（レトルト）トウモロコシ等を、１３．フライパンネットの底部の大きさに円型に加工したベニア板上に、皿の上に乗せたままの冷や飯が蒸せ、レトルト入りゴハンから何を言う事なく、電気代のかかる高価な電子レンヂを使わなくとも、冷や飯さへ、心地良く温めて食べる事が出来るものとなったが、１４．ベニア板、若しくは、耐い熱プラスチックで作られる、本発明「フライパン中敷きには、熱の通りを良くする為に、ドリルで多くの穴を開けておく事が望ましかった。１５．本発明、マコガイド（Ｔ．６９９）」を示す図で、１６．マコガイド（Ｔ．６９９）をフライパンの縁に差し込む様にして押し込んで入れ、使用する事を示しており、１７．その他のフライパンの縁に差し込んで使用出来る方法としては、スポイト溶接でマコガイドの底部に逆ｕの字型の差し込みクリップを取り付けて置く他、１８．ネットガイドには、予めｕ字型クリップを上から突き差し込んで使用できる穴を開けて置き、１９．取り付け、取り外しの出来るフライパンネット底部の針金に向って、２０．これをクリップで狭み込んで押え付ける事の出来る  ２１．ネットガイドの穴が強尽に作られている際には、本発明、フライパンネット事態  ２２．天プラ料理中、揚げ上がった天プラの油切り容器に利用する事が出来、別途利用する野菜他、料理粗材の水切りにも応用出来る時、２２．水、若しくは油の流れて欲しい方向には、ドリルで穴を開け、流れて欲しくない所には穴を開けないマコ半中敷（Ｔ．６９３） が発明される図となった。２２．モチ  ２３．食パン  ２４．コーヒーポット。２５．フライパンネットを熱く焼いた（フライパンは鉄肉が薄い為すぐ熱くなる）フライパン若しくは、鉄板、鉄鍋の内側底部から少し浮き上がらせる事の出来る凸を網に付けた事を示している図。２６．本発明される、フライパンの様に薄い肉厚でできた四角形型で、２７．両端に２つの突手を付け、２８．「マコ（四角形）ネト（Ｔ．６９５、食パン４〜６枚程を焼ける大きさ）を併用して用い、る事が出来、２９．ティポットを置ける様に、命名される、３０．「マコプレート（Ｔ．６９４）の一部、つまり、ティポットの底部の当たる位置を一段高く盛り上げ、プレスして作っても面しろく、３１．家庭用テーブルの上に、コンロを一つ用意し、その上に本発明品を一つ備えておくと、焼肉、モンジャ焼き、ピザ、焼ソバ、卵焼等々のありとあらゆる熱々の料理を調理しながら楽しむ事が出来る様になったが、アウトドアー用品にも（テントの中でも）すぐに転用できる優れ物となっていた。所が、３２．之発明品の弱点は、大変安定が悪い所にあり、之はどうして是正しなければならない時、マコプレートを四方で支える  ３３．折り畳式の足を持つ架台が必要となる際に、３４．中心に置くコンロより高めにして作り、３５．その下には、皿、調味料、コーヒーカップ等を  ３６．テーブル盤の上に置き、３７．テーブル盤は、架台の上に乗せ別使用する時には、花器台、お銚子置きに転用できる物である事が示されて、３８．この様にして使用される際には、本発明品が家庭用のテーブルの上にあって、広く場所を取っていても、消費者には決っして見苦しくも、ウットウしささへも感じさせない物となった。３９．焼ソバ、ピザ、モンジャ焼き、４０．蒸し物にマコネットを用いる場合、マコネットの下に本発明、マコ環（Ｔ．６９８）を使うと、丁度良蒸し物が出来る事を示した図。４１．ガスコックはマコプレートの外に出し、コックにはギザギザのある大き目の赤い取っ手があると良い。
【図１】
2009268880.tif 000005
【手続補正書】
【提出日】平成20年9月6日(2008.9.6)
【手続補正２】
【補正対象書類名】特許請求の範囲
【補正対象項目名】全文
【補正方法】変更
【補正の内容】
【特許請求の範囲】
【請求項１】
現在市場にあって、既製品になっているフライパン、鉄器、鉄鍋等の大きさに（ピッタリ）合わせ、底部から３〜５ｍｍ程浮かせて作るフライパンネット（Ｔ．６９０）が発明され、他にも多角形で縁取りされた大口鉄板（Ｔ．６９４）を作り、之等を万能器にするべく、之に被せられるフライパンリッド（Ｔ．６９１）フライパンリッダー（Ｔ．６９６）が発明され、穴開け中敷（Ｔ．６９２）及び＿＿＿半穴明け中敷（Ｔ．６９３）並びに、之を引き出しに収納できる収納器（Ｔ．６９７）の発明請求。
【請求項２】
現在市場にあって、キャンプ場等で、焼肉、焼ソバ等の料理を作るのに広く使用されている重量物となる事が多い四角形の鉄板プレート（Ｔ．６９４）の肉厚を１．５ｍｍ〜３ｍｍ程までに薄くした＿＿＿マコプレート（Ｔ．６９４）が発明され、主に卓上調理器具に供せられる発明となし、之容器の内側の大きさに（ぴったり）合わせ（コーヒポットの抜ける部分を削除した）マコネット（Ｔ．６９５）が発明され、又、之発明品を万能にする為、四角い蓋の形状をしたマコリッド（Ｔ．６９６）及び、蒸し物用に用いると便利な、四角形をした、マコ中敷（Ｔ．６９７）、マコ半割中敷（Ｔ．６９８）が発明される。請求。
【手続補正３】
【補正対象書類名】明細書
【補正対象項目名】全文
【補正方法】変更
【補正の内容】
【発明の詳細な説明】
【技術分野】
【０００１】  筆者はコドモの頃から魚料理が好きで、近くに信濃川（新潟）、○○○川（外国）等他があり、魚を釣って来ては、自分で料理していた。―そして、特に活きのいいメザシ、サンマ、鮭等が好きで、お茶付けにして食べる時には最初七輪と炭で焼いていたものの
2009268880.tif 000006
網から、コンロ、オーブン、電子レンヂに至るまで、魚料理が出す油と油煙りとが原因し
2009268880.tif 000007
【０００２】
2009268880.tif 000008
フライパンの内側に丁度良い金鋼をこの型に合わせて作り、この上で魚を焼き、ベニア板で作った蓋を被せてみた所、完璧な状態で料理を作る事が出来、魚から出る余分な油は、フライパンの金網と共に調理後に容易に洗い流せ、油煙りさへ、殆ど出ない技術力が生じた際、之発明品は、それだけでは終わらずに、之で、蒸し物料理器に早変りする他、パンが焼け、コーヒーが沸かせ、野菜の水切り、天プラの油切りから多様に働く万能器となり、虫除け器にさへなってゆくものとなっていった。
【背景技術】
【０００３】●Ｔ．３０●Ｔ．４８０●Ｔ．６９２●Ｔ．６９０
【発明の開示】
【発明が解決しようとする課題】
【０００４】  コドモの頃、赤ちょうちんを下げ、アメリカにリアカーを持ち込んで、屋台（料理人）をやってみたく憧れがあった。リアカーには、焼酎、すし、焼き魚、ラーメン、コーヒー、お茶………等々を乗せる事を考え、色々と空想していた。「――止めなさいよ！」父親が言って終わりになった。（Ｔ．３７０）【０００５】  筆者は、ゴハン、納豆、ノリ、焼き魚、タクアン、ミソ汁等々日本食が好きだったが、欧米食では、肉、パン、ジャガ芋、卵…等が、主体であり、食文化が合わないものであったからであった。――筆者の猫でさへ、肉よりも魚を好んで食べていた。【０００６】  しかし併、筆者の料理への強い関心は、遂に終わりを見ず、調理師の免許を取ろうと思い料理の世界に首を突っ込み、遂に之を取り、料理を作って客に之を提供していた際中、マスターは執拗な迄にも、自分が出す味に拘っていた。――丁度、その時、客から質問を受けた。【０００７】  フライパンに料理がすぐに焦びに付いて困る。焦びりつかない方法は無いか！であった。「フライパンの焦げ付きを無くすには、予め、フライパンを熱く焼いて置くと、料理は焦げ付かなくなりますよ！と答えていた。――この時、料理の理不尽を覚えていた。【０００８】  筆者は、魚料理が好きで、サンマ、メザシをお茶付けで食べる時には、後にフライパンで之を焼いていたが、活きが良く、フライパンの底には、之を焼く時、ポタポタと油が滴り落ち、せっかく焼いた魚が、＿＿＿＿＿油を掃く事なく、再び、その油を焼いた魚が吸い込む際には、料理がグチャグチャになってしまっていた。
何とかならないものか？と、考えていた矢先の事であった。課題が生じた。
【課題を解決する為の手段】
【０００９】  料理をおいしく作って食べるには、調理中では、余分に出る油を除去した方がおいしくなる場合もあり、肉類や焼き鳥等も同じであったが、全っく料理粗材の持つ油分が抜け切っても良くなかった。―――この時、フライパンの底にモチを焼く際に使う金網を買って来て金切りバサミで丁度良い大きさに切り、本図に見られる様な色々な大きさ、型に切って裁断し、スポット溶接で溶接し、使ってみると大変具合が良く、別用途にも幅広く使える物になった。
【発明の効果】
【００１０】  本発明品をテーブルの上に一つ設置しただけで電子レンヂ、電熱プレート、オーブン等の電化家電品はいらなくなる程の効果があり、家族団欒で調理した物を熱々のうちに、餅焼、焼きソバ、モンジャ焼き、ピザ、焼き魚、焼き肉に至って、他、食パンが焼け、コーヒーが沸かせ、冷や飯を蒸し、芋が焼け、天プラの油切り、野菜の水切りさへ、利用できる万能器となった。
【発明を実施する最良の形態】
【００１１】  本文に発明される形態物の全ては、既存する市場に全てあるばかりの物であったが、しかし併、之等製品の種類は数多く有り、マチマチの物ばかりであり、野菜の水切り器をフライパンに持って来ても、役にたたない様に、既製品のフライパン、鉄鍋、若しくは、本発明品をして、肉厚を薄くし、四角形で大き目にして作るマコプレート（Ｔ．６９５）等の内側キッカリの大きさに合わせ、それらの内側底面から１．５ｍｍ〜３．５ｍｍ程宙に浮かせて作られる金網が発明され、その高低差をマコ環（Ｔ．６９８）で調整できる物にした時には、焼き物、蒸し物料理他、多種、多様の調理に応用できる、コーヒーを沸かし、食パンさへ焼ける卓上調理器具になった。
【産業上利用の可能性】
【００１２】  実際にプロの料理現場で修業した方々には、筆者の本発明（文）の内容は、理解され易く、御共鳴いただけると思われる際、産業上利用の可能性にも大きく貢献できる。と思われた。筆者の発明品は、  一日、十万個以上売れる考案品になる物ばかり考えていた。
【図面の簡単な説明】
【００１３】
【図１】フライパン、鉄鍋、鉄板プレート等調理器具の内側にピッタリと合わせ、少し浮かせ、金網で作るフライパンネット（Ｔ．６９０）が創作される時、モチ、肉、魚等の料理粗材を始めとし、あらゆる理想の料理が出来る物となり、之に薄く水、若しくは香料を敷く時には、蒸し物（Ｔ．６９２。Ｔ．６９３）燻製料理が出来、冷や飯、パンが温められ、天プラの油切り、野菜の水切（Ｔ．６９８。Ｔ．６９８）にも用いられるものとなり、これを四角、若しくは多角形に作った場合、棚、机の引き出しに収納できる物となり、ここに氷を入れた場合、料理を調度良く冷やせる他、虫除け網（Ｔ．７００。虫除け網戸に使われる材質）蓋で作って、之に被せた場合にも、有効に害虫を防ぎ、理想の状態で料理を冷やす事が出来る事を示す図となった。
【符号の説明】
【００１４】１．筆者の好きな焼きな焼き魚、メザシ、サンマ、２．鯖、鮭の切り身の順を示す図であった。が、３．頭は猫にやり、４．骨ごと、丸かじりに之を食べてしまわなければ気が済まず、火を良く通すには、５．一万回以上、火災実験をして、火災を起こす必配の無かった時、ベニア板を丸く切ってフライパン用、若しくは、金属製大口鍋類を蓋する事の出来る蓋を作って、之に被せた際には、魚の骨まで柔くし、火通しを良くする事が出来、これは、料理、調理後、大鍋等をテーブルに出す時には、下敷にさへ出来る物となった。６．それ故、この様にして料理を作ると、魚の油がフライパンの底に相当量、貯まる物となったが、７．本発明するフライパンネット（Ｔ６９０）」を、フライパンの中に敷くと、筆者の好きだった焼き魚が、滴り落ちる魚等の油に塗れる事なく、フックラ、焦んがり、カラッとする好きな焼き方が出来る様になり、８．フライパンネット（Ｔ６９０）」を取り除くと、そこには、活魚から染み出した魚の油のみ残っており、焦げ、焦びり付きも一切無く、調理後のフライパンの洗浄も楽になり、フライパンに傷を付けづらくなり、テフロン加工のフライパン等も、長持ちする様になった。９．又、フライパンの底に少量の水を入れ、本発明フライパンネットに、蒸し物料理にしたいと思われる、１０．餃子、焼売、１１．焼芋、１２．（レトルト）トウモロコシ等を、１３．フライパンネットの底部の大きさに円型にしたベニア板（杉板にすると香りが良い。）上に、皿の上に乗せたままの冷や飯が蒸せ、レトルトヘリゴハンから何を言う事なく、電気代のかかる高価な電子レンヂを使わなくとも冷や飯さへ、心地良く温めて食べる事が出来るものとなったが、１４．ベニア板、若しくは、耐い熱プラスチックで作られる、本発明「フライパン中敷きには、火の通りを良くする為に、ドリルで多くの穴を開けておく事が望ましかった。１５．本発明、マコガイド（Ｔ．６９９）」を示す図で、１６．マコガイド（Ｔ．６９９）をフライパンの縁に差し込む様にして押し込んで入れ、使用する事を示しており、１７．その他のフライパンの縁に差し込んで使用出来る方法としては、スポイト溶接で、マコガイドの底部に逆ｕの字型の差し込みクリップを取り付けて置く他、１８．ネットガイドには予めｕ字型クリップを上から突き差し込んで使用できる穴を開けて置き、１９．取り付け、取り外しの出来るフライパンネット底部の針金に向って、２０．これをクリップで狭み込んで押え付ける事の出来る  ２１ネットガイドの穴が強靭に作られている際には、本発明、フライパンネット事態＿＿天プラ料理中、揚げ上がった天プラの油切り容器に利用する事が出来、別途利用する野菜他、料理粗材の水切りにも応用出来る時、２２．水、若しくは油の流れて欲しい方向には、ドリルで穴を開け、２３．流れて欲しない所には穴を開けないマコ半中敷（Ｔ．６９３）が発明される図となった。２４．モチ  ２５．食パン  ２６．コーヒポット  ２７．フライパンは鉄肉か薄い為、満辺なくすぐ熱くなるのでフライパンネットは、フライパン鉄板、鉄鍋の内側底部から少し浮き上がらせる事の出来る凸を網に付けた事を示して＿＿＿＿＿＿２８．本発明される、フライパンの様に薄い（１〜１．５ｍ���位）肉厚で、多角形型でできた  ２９．耐熱縁のあるマコプレート（Ｔ．６９４、Ａ３コピー紙２枚分程の大きさを理想とする）板では、３０．マコ（多角形）ネット（Ｔ．６９５）＿＿＿を併用して用いる事が出来、３１．ティポットを一つ置ける様にし、命名される、３２．マコプレート（Ｔ．６９４）の一部、つまり、ティポットの底部の当たる位置を一段高く感り上げ、プレスして作っても面白く、３３．家庭用テーブルの上に、コンロを一つ用意し、その上に本発明品を一つ備えておくと、焼肉、モンジャ焼き、ピザ、焼ソバ、卵焼き等々のありとあらゆる熱々の料理を調理しながら楽しむ事が出来る様になったが、アウトドアー用品にも（テントの中でも）すぐに転用できる優れ物となっていた。所が、３４．之発明品の弱点は、大変安定が悪い所にあり、之はどうしても是正しなければならない時、マコプレートを四方で支える３５．折り畳式の足を持つ架台が必要となる際に、３６．中心に置くコンロより高めにして、之を作り、３７．その下には、皿、調味料、コーヒーカップ等を３８．テーブル盤の上に置き、３９．テーブル盤は、架台の上に乗せ別使用する時には花器台、お銚子置きに転用できる物である事が示されて、４０．この様にして使用される際には、本発明品が各家庭用テーブルの上にあって、広く場所を取っていても、消費者には決っして見苦しくも、ウットウしささへも感じさせない物となった。４０．蒸し物にマコネットを用いる場合、マコネットの下に本発明、マコ環（Ｔ．６９８）を使うと、丁度良い蒸し物が出来る事を示した図。４１．ガスコックはマコプレートの外に出し、コックにはギザギザのある大き目の赤い取っ手があると良い。４２．フライパンネットは、２つに分離する事が出来る事を示した図。４３．キャンプ地等で杉チップ他をフライパンで焼くと、４４．肉、魚に香りが付き、おいしい燻製料理が出来た。  ４５．然るに年々暑くなる日本の
2009268880.tif 000009
の遅れがあった際、料理は腐り始めたり、冷蔵庫に入れておくと、水分が取られ、パサパサになってまずくなり、冷蔵庫に入れると、冷蔵庫内の温度も上昇する不都合が生じる際、本発明される半穴開け中敷、若しくは、マコネット耐熱性の縁を付け、引き出しにし、４６．網戸素材を用いた収納容器を作り（Ｔ．６９２）＿＿＿＿＿＿＿＿＿＿＿＿＿＿＿４７机の引き出しをこの様にしても良く、４８．冷蔵庫の開け閉めを頻繁にし易いビール他も之に入れると良く、４９．昼食、ピザ等をこの中に入れておくと水分を失わずに済むものの、５０．一番上の引き出しには、現在、冷蔵庫で、いくらでも作れる氷を入れて置き、５１．氷から触け出した水分は、下部に少し開けられた仕切板から、ステンレス製の網側へ流れ出し、下に落ちる様にし、５２．氷受け容器の底面は薄い金属性の物で出来ているのが望ましかった。５３．しかし併、何故この様な物が必要なのか？と言うと、読者に分り易くする為、特例を二つ程揚げて説明される時、日本のコドモ達に言わず、世界のコドモ達はカレーが好きであった。所が、カレーの好きなのは、人間のコドモ達ばかりでは無く、細菌のボツリヌス菌の最も好む所にあっても、このカレーという料理は煮込めば煮込む程、コクとウマミの増す食品にあったが、この際、料理温度を６０℃以下に下げてはならず、温度を下げるのならば、本発明品に見られる方法他、あらゆる手段を講じてでも短時間の内に一気に１０℃以下に迄之を下げなければならなかったのは、この菌は（法定伝染菌は大体同じ）人動物の体温（  °〜３８℃位）温度で鼠算する猛列な勢いで成菌（増殖）となる際、強い酸（毒素）を吐き続ける物となり（法定伝染菌は大体同じ）現代医化学医薬品では、これら細菌等が吐き出す毒素を中和させる事を主体とする薬品（特効薬）の開発が優先される物となり、本例にあるボツリヌス（法定菌）等その物は、非常に軟
2009268880.tif 000010
３〜５時間程の時間帯で、この胞子は数十億を数えない酸素を吐く成菌（黴菌）と成っている事は、顕徴鏡を見なくとも、食してみると（レトルト食品を含む）酢っぱ味が強くなり、やがては毒々しい苦味のある物に変わっている事ですぐに分る所、筆者の好きな九州名産、カラシレンコン等はゴキブリの目の無い所となっている為、特に気を付けなければならない所であった。（Ｔ．１２０参照）５４．余談ですが、若ハゲ他、人の頭が知らずうちにハゲていったり、白髪になっていたりする事の大きな要因の一つに（筆者達研究班の調査の結果、Ｔ．４８０。Ｔ．３０参照）多大なストレス（考える事の多い学生、学者を含む）深酒他にあり、膚細胞にあるロドプシン細胞の過大な捐失（Ｔ．１３０参照）に原因する。別論文記載される（創世記、３章２２節。５章５節）。論理が考えられる時、多大に発熱される脳細胞を（特に夏期暑中）この様にして５５．作られた保冷器の最下段の融解した氷水で冷やされる濡れタオルをよく絞り、頭部額に鉢巻きにして用い、２〜３時間毎日冷やし続ける際には、この原因にある、若ハゲ、白髪増進は、相当防げるものである。と今の所、この学説により考えられる所であった。（列王記ＩＩ、２章２３節）５６．現在、夏期暑中、窓枠、綱戸に用られる虫除け素材品を用い、フライパン若しくは大口鍋類の口径（曲線）に合わせたフライパンリッダー（Ｔ．６９６）を作り、之に被せられる様にした場合、５７．皿に盛り付けられるまでの料理をフライパンの中に入れたまま、保存が出来、５８．蠅、ゴキブリ等の害虫が、之に集る事なく、５９．この下に氷を置いた場合、フライパンで料理を冷す事が出来た。
【手続補正４】
【補正対象書類名】図面
【補正対象項目名】全図
【補正方法】変更
【補正の内容】
【図１】
2009268880.tif 000011